(57)【要約】【課題】タッチパネルを使用した場合にでもヒータ、電子レンジに対する安全回路を実現させる。【解決手段】加熱手段１と、主制御回路２と、マイクロコンピュータＡ３と、入力手段６と、マイクロコンピュータＢ４と、ＷＡＴＣＨ  ＤＯＧ  ＩＣ５とを備え、マイクロコンピュータＢ４より通信ラインを使用しマイクロコンピュータＡ３とＷＡＴＣＨ  ＤＯＧ  ＩＣ５に調理スタート開始のデータが送信されると、ＷＡＴＣＨ  ＤＯＧ  ＩＣ５より出力されるアクティブ信号とマイクロコンピュータＡ３より出力されるアクティブ信号の論理積により主制御回路２をＯＮさせる。【選択図】図１
2013087963.tif 000002
【特許請求の範囲】
【請求項１】
被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデータを取り込むためのマイクロコンピュータＢと、前記マイクロコンピュータＡと前記マイクロコンピュータＢを接続し通信するための通信ラインと、前記通信ラインに接続されたＷＡＴＣＨ  ＤＯＧ  ＩＣとを備え、前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号の論理積により前記主制御回路をＯＮさせる加熱調理器。
【発明の詳細な説明】
【技術分野】
【０００１】
本発明は、マイクロコンピュータを用いた加熱調理器に関するものである。
【背景技術】
【０００２】
一般にオーブン付き高周波加熱器としては、ヒータ、電子レンジという様に複数の加熱熱源を制御している。
【０００３】
この場合、電子レンジでは、図３に示すように、入力手段の一部であるＳＴＡＲＴキーと主制御回路を接続し、ＳＴＡＲＴキーが押されている間だけ、アクティブ信号を送るようになっている。また、マイクロコンピュータＡと主制御回路を接続し、ヒータや電子レンジをＯＮしたい時には、マイクロコンピュータＡより、アクティブ信号を送信する。
【０００４】
マイクロコンピュータＡより、アクティブ信号を送信している時に、ＳＴＡＲＴキーが押されアクティブ信号が送信されると、主制御回路の一部を構成しているラッチ回路がＯＮし、ＳＴＡＲＴキーが離されて信号がノンアクティブになっても、マイクロコンピュータＡのアクティブ信号がＯＮしている限りは、このラッチ回路はＯＮし続ける。
【０００５】
さらに、ヒータをＯＮしたい時には、このラッチ回路がＯＮしている状態で、マイクロコンピュータＡより、ヒータのリレーをＯＮすれば、ヒータがＯＮする構成となっている。
【０００６】
この構成では、ヒータを上記の様な制御をすると入力手段の故障により、キーボードショート状態やノイズにより、ＳＴＡＲＴキーが押されたという入力がされたとしても、ラッチ回路がＯＮしていないのでヒータや電子レンジはＯＮせずに危険な状態にならない。
【先行技術文献】
【特許文献】
【０００７】
【特許文献１】特開昭６３−１８９７１５号公報
【特許文献２】特開昭６０−２６４０８８号公報
【発明の概要】
【発明が解決しようとする課題】
【０００８】
しかしながら、前記従来の構成では、入力手段がタッチパネルの場合、物理的にＳＴＡＲＴキーが存在しないので信号線を接続することができず、ＳＴＡＲＴキーから信号を発信できないという課題を有していた。
【０００９】
本発明は、前記従来の課題を解決するもので、ＳＴＡＲＴキーから信号を発信する代わりに、ＷＡＴＣＨ  ＤＯＧ  ＩＣを用意し、調理をスタートできる状態になったときにタッチパネルに表示されたＳＴＡＲＴキーを押されたという情報を通信で送信し、ＷＡＴＣＨ  ＤＯＧ  ＩＣがその情報を受け取った場合に、アクティブ信号を送信する構成とした加熱調理器を提供することを目的とする。
【課題を解決するための手段】
【００１０】
前記従来の課題を解決するために、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデ
ータを取り込むためのマイクロコンピュータＢと、前記マイクロコンピュータＡと前記マイクロコンピュータＢを接続し通信するための通信ラインと、前記通信ラインに接続されたＷＡＴＣＨ  ＤＯＧ  ＩＣとを備え、前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号の論理積により前記主制御回路をＯＮさせるとしたものである。
【００１１】
これによって、操作部と表示部にタッチパネルを使用した場合にでも１部品だけのＷＡＴＣＨ  ＤＯＧ  ＩＣの故障またはマイクロコンピュータＡの故障により、アクティブ信号が出力されたとしても、ラッチ回路がＯＮしないのでヒータや電子レンジはＯＮせずに危険な状態にならない。
【発明の効果】
【００１２】
本発明の加熱調理器は、入力手段としてタッチパネルを使用した場合にでも１部品だけのＷＡＴＣＨ  ＤＯＧ  ＩＣかマイクロコンピュータＡの故障により、アクティブ信号が出力されたとしても、ラッチ回路がＯＮしないのでヒータや電子レンジはＯＮせずに危険な状態にならない安全回路が実現できる。また、マイクロコンピュータＡのアクティブ信号に依存せずに、独立して調理をスタートしたという情報をＷＡＴＣＨ  ＤＯＧ  ＩＣが判断してからアクティブ信号を出力するため、調理スタートできない状態でユーザーがスタートキーを押したときにもアクティブ信号を出力しないのでより安全な回路が実現できる。
【図面の簡単な説明】
【００１３】
【図１】本発明の実施の形態１における加熱調理器の構成図
【図２】本発明の実施の形態２における加熱調理器のフローチャート
【図３】従来における加熱調理器の構成図
【発明を実施するための形態】
【００１４】
第１の発明は、前記従来の課題を解決するために、被加熱物を収容する加熱室と、前記加熱室に設けられた開閉ドアと、前記加熱室内の被加熱物を加熱する加熱手段と、前記加熱手段を制御する主制御回路と、前記主制御回路にアクティブ信号を供給するためのマイクロコンピュータＡと、調理設定等を行うための入力手段と、前記入力手段のデータを取り込むためのマイクロコンピュータＢと、前記マイクロコンピュータＡと前記マイクロコンピュータＢを接続し通信するための通信ラインと、前記通信ラインに接続されたＷＡＴＣＨ  ＤＯＧ  ＩＣとを備え、前記マイクロコンピュータＢより前記通信ラインを使用し前記マイクロコンピュータＡと前記ＷＡＴＣＨ  ＤＯＧ  ＩＣに調理スタート開始のデータが送信されると、前記ＷＡＴＣＨ  ＤＯＧ  ＩＣより出力されるアクティブ信号と前記マイクロコンピュータＡより出力されるアクティブ信号の論理積により前記主制御回路をＯＮさせるとしたものである。
【００１５】
これによって、入力手段としてタッチパネルを使用した場合にでも１部品だけのＷＡＴＣＨ  ＤＯＧ  ＩＣかマイクロコンピュータＡの故障により、アクティブ信号が出力されたとしても、ラッチ回路がＯＮしないのでヒータや電子レンジはＯＮせずに危険な状態にならない。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における加熱調理器の図を示すものである。
【００１８】
図１において、マイクロコンピュータＡ３（以下、マイコンＡと称す）は主制御回路を用いて加熱手段を制御し、マイクロコンピュータＢ４（以下、マイコンＢと称す）はタッチパネルにより入力された情報により調理内容の設定等を行い、マイコンＢ４より通信ラインを使用し、マイコンＡ３に調理スタート情報や調理の種類の情報を送信する構成になっている。またマイコンＢ４より通信ラインを使用し、ＷＡＴＣＨ  ＤＯＧ  Ｉ５Ｃに調理スタート情報を送信する構成になっている。
【００１９】
以上のように構成された加熱調理器について、以下にその動作、作用を説明する。
【００２０】
まず、入力手段６からユーザーが調理設定を行い、タッチパネルに表示されたスタートキーを押下すると、マイコンＢ４は特定フォーマットに従った情報を通信ラインを使用し、マイコンＡ３とＷＡＴＣＨ  ＤＯＧ  ＩＣ５に送信する。
【００２１】
このとき、調理をスタートするという情報をマイコンＢ４より受け取ったとすると、マイコンＡ３はスタートＯＫ信号として方形波の信号を出力する。またＷＡＴＣＨ  ＤＯＧＩＣ５からスタートＯＫ信号としてＨＩＧＨの信号を出力する。
【００２２】
これにより、主制御回路２の一部で構成されているラッチ回路はＯＮする。次にマイコンＢ４より調理の種類の情報（例えばコンベクション調理）を受け取り、マイコンＡ３はその情報を元に各リレーをＯＮする。
【００２３】
このときヒータをＯＮするシーケンスであればマイコンＡ３はヒータリレーをＯＮする信号を出力し、主制御回路２のラッチ回路がＯＮしているのでヒータはＯＮする。
【００２４】
次に、調理が終了した場合、マイコンＢ４より調理の種類が、Ｎｏ  ｃｏｏｋｉｎｇという情報を送信する。マイコンＡ３はその情報を元に各リレーをＯＦＦする。このときヒータリレーもＯＦＦする。そしてマイコンＡ３はスタートＯＫ信号としての方形波をＯＦＦさせ、ＷＡＴＣＨ  ＤＯＧ  ＩＣ５からのＨＩＧＨ信号をＬＯＷ信号に変更する。これにより主制御回路２のラッチ回路はＯＦＦする。
【００２５】
以上のように、本実施の形態において操作部と表示部にタッチパネルを使用した場合にでも１部品だけのＷＡＴＣＨ  ＤＯＧ  ＩＣの故障またはマイクロコンピュータＡの故障により、アクティブ信号が出力されたとしても、ラッチ回路がＯＮしないのでヒータや電子レンジはＯＮせずに危険な状態にならない。
【００２６】
（実施の形態２）
図２は、本発明の第２の実施の形態の加熱調理器のフローチャートである。なお、実施の形態１と同一符号のものは同一構造を有し、説明は省略する。
【００２７】
まず、マイコンＢ４はステップＳ１にて、調理スタート情報を通信ラインを使用し、マイコンＡ３とＷＡＴＣＨ  ＤＯＧ  ＩＣ５に送信する。
【００２８】
次に、ステップＳ２では、マイコンＡ３がその情報を受け取り、ステップＳ３でマイコンＡはその情報が調理スタート情報かどうか判断し、もし調理スタート情報であるなら、ステップＳ４にてマイコンＡ３より主制御回路２に４ｋＨｚの方形波のアクティブ信号を送信する。この方形波のアクティブ信号とＷＡＴＣＨ  ＤＯＧ  ＩＣ５からのＨＩＧＨのアクティブ信号が入力されて初めて主制御回路２のラッチ回路がＯＮする構成となっており、マイコンＡ３よりＨＩＧＨまたはＬＯＷ信号の出力だけではラッチ回路はＯＮしない
。これはマイコンＡ３が暴走した場合に、信号がＨＩＧＨまたはＬＯＷ信号を出力するため、ラッチ回路をＯＮしないようにしているためである。
【００２９】
ステップＳ５では、ステップＳ１で、マイコンＢ４が送信した調理スタート情報を、ＷＡＴＣＨ  ＤＯＧ  ＩＣ５が受け取り、ステップＳ６でＷＡＴＣＨ  ＤＯＧ  ＩＣ５はその情報が調理スタート情報かどうか判断し、もし調理スタート情報であるなら、ステップＳ７でＷＡＴＣＨ  ＤＯＧ  ＩＣ５より主制御回路にＨＩＧＨのアクティブ信号を送信する。ステップＳ４のアクティブ信号が出力されていれば、主制御回路２のラッチ回路がＯＮする。もし調理スタート情報でなければ、ステップＳ８に移行する。
【００３０】
ステップＳ８にて、マイコンＢ４より調理の種類の情報を送信する。ステップＳ９にて、その情報をマイコンＡ３が受け取り、その情報をもとに各リレーのＯＮ／ＯＦＦを行う。ステップＳ１０で、受け取った調理の種類のシーケンスがヒータリレーをＯＮさせるシーケンスかどうか判断し、もしＯＮさせるシーケンスならステップＳ１１でヒータリレーにアクティブ信号を送信する。このとき、主制御回路２のラッチ回路がＯＮしていれば、ヒータがＯＮする。
【産業上の利用可能性】
【００３１】
以上のように、本発明の加熱調理器は、入力手段としてタッチパネルを使用した場合にでも１部品だけのＷＡＴＣＨ  ＤＯＧ  ＩＣかマイクロコンピュータＡの故障により、アクティブ信号が出力されたとしても、ラッチ回路がＯＮしないのでヒータや電子レンジはＯＮせずに危険な状態にならないため、容易に加熱調理器のみならず他の家電機器への用途にも適用できる。
【符号の説明】
【００３２】
１  加熱手段
２  主制御回路
３  マイクロコンピュータＡ
４  マイクロコンピュータＢ
５  ＷＡＴＣＨ  ＤＯＧ  ＩＣ
６  入力手段
【図１】
2013087963.tif 000003
【図２】
2013087963.tif 000004
【図３】
2013087963.tif 000005